(57)【特許請求の範囲】
【請求項１】
第１の配線と第２の配線と光ファイバとを備えたケーブルと、前記ケーブルの一端側に設けられる第１のコネクタと、前記ケーブルの他端側に設けられる第２のコネクタとを備えたコネクタ付きケーブルと、
前記第１のコネクタに取り付け可能に構成され、前記第１のコネクタに取り付けられた状態で、前記第１の配線の前記一端と前記第２の配線の前記一端とを電気的に接続する第３の配線と、前記第３の配線に挿入され対照用光を前記光ファイバに出射する光源とを備えた第１の端末接続部材と、
前記第２のコネクタに取り付け可能に構成され、前記第２のコネクタに取り付けられた状態で、前記第１の配線の前記他端と前記第２の配線の前記他端とを電気的に接続する第４の配線と、前記第４の配線に挿入され前記光源に電圧を供給する電源と、前記電源の電圧印可状態を切り替えるスイッチと、前記光ファイバを通過した前記対照用光を出射させる光出射部とを備えた第２の端末接続部材と、
を有する、
ケーブル特定システム。
【請求項２】
前記光源は、発光ダイオードである、
請求項１に記載のケーブル特定システム。
【請求項３】
第１の配線と第２の配線と光ファイバとを備えたケーブルと、前記ケーブルの一端側に設けられる第１のコネクタと、前記ケーブルの他端側に設けられる第２のコネクタとを備えたコネクタ付きケーブルと、
前記第１のコネクタに取り付け可能に構成され、前記第１のコネクタに取り付けられた状態で、前記第１の配線の前記一端と前記第２の配線の前記一端とを電気的に接続する第３の配線と、前記第３の配線に挿入され対照用光を前記光ファイバに出射する光源とを備えた第１の端末接続部材と、
前記第２のコネクタに取り付け可能に構成され、前記第２のコネクタに取り付けられた状態で、前記第１の配線の前記他端と前記第２の配線の前記他端とを電気的に接続する第４の配線と、前記第４の配線に挿入され前記光源に電圧を供給する電源と、前記電源の電圧印可状態を切り替えるスイッチと、前記光ファイバを通過した前記対照用光を出射させる光出射部とを備えた第２の端末接続部材と、
を有する、ケーブル特定方法であって、
前記第１のコネクタに前記第１の端末接続部材を取り付ける工程と、
前記第２のコネクタに前記第２の端末接続部材を取り付ける工程と、
前記電源に電圧が印可されるように前記スイッチを切り替えて前記光出射部から前記第２の端末接続部材の外部へ前記対照用光を出射させる工程と、
を有するケーブル特定方法。
【発明の詳細な説明】
【技術分野】
【０００１】
本発明は、ケーブル特定システムおよびケーブル特定方法に関する。
【背景技術】
【０００２】
例えばデータセンター等において、光ケーブル等のケーブルが、複数本のケーブルが束ねられたケーブル束を構成した状態で使用されている。不要となり機器から取り外されたケーブルは、ケーブル束から引き抜かれて撤去される。
【０００３】
ケーブルを撤去しようとする際、撤去対象のケーブルの一端側の端末と他端側の端末との対応が、ケーブル束中で不明となっていることがある。そこで、撤去対象のケーブルについて、一端側の端末と他端側の端末とを対応付けるケーブル特定作業（ケーブル対照作業）が行われる。
【０００４】
ケーブルの撤去時に限らず、例えばケーブルの敷設時等においても、ケーブル特定作業が行われることがある。
【０００５】
なお、多数本のケーブルが敷設された際に生じる問題について、例えば特許文献１に説明されている。
【先行技術文献】
【特許文献】
【０００６】
【特許文献１】特開２００１−１４５２２１号公報
【発明の概要】
【発明が解決しようとする課題】
【０００７】
本発明の一目的は、ケーブルの特定を行うことができる新規な技術を提供することである。
【課題を解決するための手段】
【０００８】
本発明の一観点によれば、
一端側に第１のコネクタが設けられ他端側に第２のコネクタが設けられたコネクタ付きケーブルと、
前記第１のコネクタに取り付け可能に構成された第１の端末接続部材と、
前記第２のコネクタに取り付け可能に構成され、光出射部を有する第２の端末接続部材と、
を有し、
前記コネクタ付きケーブル、前記第１の端末接続部材、および前記第２の端末接続部材は、
前記第１の端末接続部材が前記第１のコネクタに、前記第２の端末接続部材が前記第２のコネクタにそれぞれ取り付けられた状態で、前記光出射部から前記第２の端末接続部材の外部へ対照用光を出射させる
ように構成されているケーブル特定システム
が提供される。
【０００９】
本発明の他の観点によれば、
一端側に第１のコネクタが設けられ他端側に第２のコネクタが設けられたコネクタ付きケーブルと、
前記第１のコネクタに取り付け可能に構成された第１の端末接続部材と、
前記第２のコネクタに取り付け可能に構成され、光出射部を有する第２の端末接続部材と、
を有し、
前記コネクタ付きケーブル、前記第１の端末接続部材、および前記第２の端末接続部材は、
前記第１の端末接続部材が前記第１のコネクタに、前記第２の端末接続部材が前記第２のコネクタにそれぞれ取り付けられた状態で、前記光出射部から前記第２の端末接続部材の外部へ対照用光を出射させる
ように構成されているケーブル特定システムを用いたケーブル特定方法であって、
前記第１のコネクタに前記第１の端末接続部材を取り付ける工程と、
前記第２のコネクタに前記第２の端末接続部材を取り付ける工程と、
前記光出射部から前記第２の端末接続部材の外部へ前記対照用光を出射させる工程と、
を有するケーブル特定方法
が提供される。
【発明の効果】
【００１０】
ケーブルの特定を行うことができる。
【図面の簡単な説明】
【００１１】
【図１】図１は、本発明の第１の実施形態によるケーブル特定システムの構成を示す概略図である。
【図２】図２は、第２の実施形態によるケーブル特定システムの構成を示す概略図である。
【図３】図３（ａ）〜図３（ｃ）は、第１の実施形態または第２の実施形態によるケーブル特定システムを用いたケーブル特定方法の一例を示すための、特定対象となるケーブルを含むケーブル束を示す概略図である。
【発明を実施するための形態】
【００１２】
まず、図１を参照して、本発明の第１の実施形態によるケーブル特定システム（ケーブル対照システム）１００の構成について説明する。図１は、第１の実施形態によるケーブル特定システム１００の構成を例示する概略図である。
【００１３】
ケーブル特定システム１００は、コネクタ付きケーブル１０と、コネクタ付きケーブル１０の一端側の端末および他端側の端末にそれぞれ取り付けられる端末接続部材２０および３０とを有する。
【００１４】
なお、本明細書の説明において、一端と当該一端に対する他端とは任意に規定されており、互いに交換してもよい。
【００１５】
コネクタ付きケーブル１０は、光ファイバ１１を有する光ケーブルであり、一端側に光コネクタ１２が設けられ、他端側に光コネクタ１３が設けられたものである。コネクタ付きケーブル１０の有する光ファイバ１１および光コネクタ１２、１３の構成としては、公知のものを適宜用いることができる。以下、コネクタ付きケーブル１０を、単に、ケーブル１０と呼ぶこともあり、光コネクタ１２、１３を、単に、コネクタ１２、１３と呼ぶこともある。
【００１６】
端末接続部材２０は、対照用光を出射する光源２１と、光源２１を発光させる電圧を供給する電源２２と、光源２１の発光状態と非発光状態とを切り替えるスイッチ２３とを有する。端末接続部材２０は、コネクタ１２に取り付け可能に（着脱可能に）構成されており、コネクタ１２に取り付けられた状態で、光源２１から出射された対照用光を、光ファイバ１１に入射させるように構成されている。光源２１としては、例えば発光ダイオード（ＬＥＤ）を用いることができる。
【００１７】
端末接続部材３０は、コネクタ１３に取り付け可能に（着脱可能に）構成されており、コネクタ１３に取り付けられた状態で、光ファイバ１１を通過した対照用光が入射するように構成されている。端末接続部材３０は、作業者が端末接続部材３０側で対照用光の発光の有無を確認（検知）できるように、端末接続部材３０の外部へ対照用光を出射させる光出射部３１を有する。光出射部３１から出射される対照用光は、目視により検知可能とするために可視光である。
【００１８】
光源２１から出射される対照用光が可視光の場合は、例えば、光出射部３１として、ジルコニア等の光散乱手段や、４５°ミラー等の光路変換手段を用いて、可視光を外部にそのまま取り出すことができる。光源２１から出射される対照用光が不可視光の場合は、例えば、光出射部３１として可視光に波長を変換する波長変換手段や、不可視光をフォトダイオード等の受光素子で検知し、この受光素子からの信号を処理して可視光ＬＥＤ等の発光素子を発光させる処理回路及び表示器からなる検知手段を用いて、可視光として外部に取り出すことができる。
【００１９】
上述のような構成を有することで、第１の実施形態によるケーブル特定システム１００は、以下のような動作をする。
【００２０】
ケーブル１０の一端側のコネクタ１２および他端側のコネクタ１３に、端末接続部材２０および端末接続部材３０がそれぞれ取り付けられた状態では、端末接続部材２０においてスイッチ２３がオン状態にされることにより光源２１から出射された対照用光が、光ファイバ１１を通過して端末接続部材３０へ入射する。そして、対照用光が、光出射部３１から端末接続部材３０の外部へ出射される。
【００２１】
一方、ケーブル１０の一端側のコネクタ１２および他端側のコネクタ１３に、端末接続部材２０および端末接続部材３０の少なくとも一方が取り付けられていない状態では、端末接続部材２０においてスイッチ２３がオン状態にされたとしても、対照用光は、端末接続部材３０へ入射せず、光出射部３１から端末接続部材３０の外部へ出射されない。
【００２２】
次に、図３（ａ）〜図３（ｃ）を参照して、第１の実施形態によるケーブル特定システム１００を用いたケーブル特定方法（ケーブル対照方法）について、ケーブルの撤去作業を例として説明する。図３（ａ）〜図３（ｃ）は、特定対象となるケーブル１０Ｂを含むケーブル束２００を示す概略図である。
【００２３】
図３（ａ）を参照する。例えばデータセンター等において、ケーブル１０は、複数本のケーブル１０が束ねられたケーブル束２００を構成した状態で使用される。ケーブル１０が不要となった場合、両端のコネクタが、機器から取り外される。
【００２４】
不要となり機器から取り外されたケーブル１０は、ケーブル束２００から引き抜かれて撤去される。撤去のために特定すべきケーブル１０を、ケーブル１０Ｂと呼ぶこととし、その他のケーブル１０を、ケーブル１０Ａと呼ぶこととする。なお、図３（ａ）〜図３（ｃ）では、図示の煩雑さを避けるため、代表的に１本のケーブルでケーブル１０Ａを示している。
【００２５】
ケーブル１０Ｂを撤去しようとする際、コネクタの取り外し作業から撤去作業までにしばらく時間が経過してしまっていることや、束ねられたケーブル１０の本数が多数であることや、ケーブル１０の一端と他端とが遠く離れた位置に配置されていること等に伴い、撤去対象のケーブル１０Ｂの一端側の端末と他端側の端末との対応付けが不明となっていることがある。そこで、撤去対象のケーブル１０Ｂについて、一端側の端末と他端側の端末とを対応付けるケーブル特定作業（ケーブル対照作業）が行われる。
【００２６】
ここでは、ケーブル１０Ｂの一端側（図３（ａ）〜図３（ｃ）の左側）の端末に対して、ケーブル１０Ｂの他端側（図３（ａ）〜図３（ｃ）の右側）の端末を対応させるケーブル特定作業を例として、ケーブル特定システム１００の使用方法を説明する。
【００２７】
図３（ｂ）を参照する。まず、ケーブル１０Ｂの一端側の端末に、つまり、ケーブル１０Ｂの一端側のコネクタに、端末接続部材２０を取り付ける。そして、スイッチ２３をオン状態として、光源２１から対照用光を出射させる。
【００２８】
他端側では、ケーブル１０Ｂの端末がケーブル束２００中のどこにあるか不明である。そこで、以下に説明するように、ケーブル束２００中のケーブル１０に対して順に、他端側のコネクタに端末接続部材３０を取り付け、光出射部３１からの対照用光の出射の有無を確認することで、ケーブル１０Ｂの他端側の端末を探し出す。
【００２９】
本例では、まず、ケーブル１０Ａの他端側のコネクタに端末接続部材３０が取り付けられる。ケーブル１０Ａについては、一端側のコネクタに端末接続部材２０が取り付けられていないので、つまり、一端側から対照用光が入射されていないので、光出射部３１からの対照用光の出射は確認されない。
【００３０】
図３（ｃ）を参照する。次に、ケーブル１０Ｂの他端側のコネクタに端末接続部材３０が取り付けられる。ケーブル１０Ｂについては、一端側のコネクタに端末接続部材２０が取り付けられており、一端側から対照用光が入射されているので、光出射部３１からの対照用光の出射が確認される。
【００３１】
光出射部３１からの対照用光の出射が確認されることで、端末接続部材３０が取り付けられた他端側の端末が、ケーブル１０Ｂの他端側の端末であることが特定される。このようにして、ケーブル特定システム１００により、ケーブル１０Ｂを特定することができる。
【００３２】
以上説明したように、第１の実施形態によるケーブル特定システム１００を用いることで、ケーブル１０を特定すること（ケーブル１０の一端側の端末と他端側の端末とを対応付けること）ができる。
【００３３】
端末接続部材２０および端末接続部材３０が、ケーブル１０と別体の部材として構成されていることで、光源２１や光出射部３１等をケーブル１０ごとに予め内蔵させておく必要がない。また、１組の端末接続部材２０、３０が用意されていれば、任意のケーブル１０の特定を行うことができる。
【００３４】
なお、光源２１の発光状態と非発光状態とを切り替えるスイッチ２３が省略されて、光源２１が常時発光していても、ケーブル特定作業を行うことはできる。このような場合、端末接続部材２０がコネクタ１２に取り付けられている状態と取り付けられていない状態とを切り替えることで、対照用光が光ファイバ１１へ入射する状態と入射しない状態とを切り替えることができる。ただし、スイッチ２３が設けられていることで、光源２１の発光タイミングを制御でき利便性が向上する。
【００３５】
なお、端末接続部材２０側でも対照用光の出射を確認できるよう、端末接続部材２０に、対照用光を端末接続部材２０の外部へ出射させる光出射部２４を設けるようにしてもよい。なお、光出射部２４は、光出射部２４から出射される対照用光が可視光となるように（光出射部３１と同様に）構成される。
【００３６】
次に、図２を参照して、第２の実施形態によるケーブル特定システム１００の構成について説明する。図２は、第２の実施形態によるケーブル特定システム１００の構成を例示する概略図である。なお、説明の煩雑さを避けるため、第１の実施形態と対応する部材や構造については、同一の参照番号を用いて説明を進める。以下、主に、第１の実施形態との違いについて説明する。
【００３７】
コネクタ付きケーブル１０としては、例えば、第１の実施形態と同様に、光ファイバ１１を有し光コネクタ１２、１３を有する光ケーブルを用いることができる。
【００３８】
ただし、第２の実施形態におけるケーブル１０は、さらに、一対の配線１４、１５を有している。配線１４、１５は、それぞれ、コネクタ１２に一端１４ａ、１５ａが配置され、コネクタ１３に他端１４ｂ、１５ｂが配置されるように設けられている。配線１４、１５は、それぞれ、コネクタ１２、１３の中間に配置されたケーブル本体部分では、例えばシース内に埋め込まれて配置されている。配線１４と配線１５とは、ケーブル１０単体の状態では、互いに電気的に分離されている。
【００３９】
端末接続部材２０は、第１の実施形態と同様に、コネクタ１２に取り付け可能に（着脱可能に）構成されている。
【００４０】
ただし、第２の実施形態における端末接続部材２０は、コネクタ１２に取り付けられた状態で配線１４の一端１４ａ（配線端１４ａ）と配線１５の一端１５ａ（配線端１５ａ）とを電気的に接続する配線２５を有し、さらに、配線２５に挿入され後述の光源３３を発光させる電圧を供給する電源（電気信号発生装置）２６、および、電源２６が配線端１４ａと配線端１５ａとの間に電圧を印加する状態と印加しない状態とを切り替えるスイッチ２７を有する。
【００４１】
電源２６は、極性の反転する電圧を発生するように構成されていることが好ましく、電源２６としては、例えば交流電源を用いることができる。
【００４２】
端末接続部材３０は、第１の実施形態と同様に、コネクタ１３に取り付け可能に（着脱可能に）構成されており、光出射部３１を有する。
【００４３】
ただし、第２の実施形態における端末接続部材３０は、コネクタ１３に取り付けられた状態で配線１４の他端１４ｂ（配線端１４ｂ）と配線１５の他端１５ｂ（配線端１５ｂ）とを電気的に接続する配線３２を有し、さらに、配線３２に挿入され対照用光を出射する光源３３を有する。光源３３としては、例えばＬＥＤを用いることができる。対照用光は、可視光であることが好ましい。
【００４４】
上述のような構成を有することで、第２の実施形態によるケーブル特定システム１００は、以下のような動作をする。
【００４５】
ケーブル１０の一端側のコネクタ１２および他端側のコネクタ１３に、端末接続部材２０および端末接続部材３０がそれぞれ取り付けられた状態では、配線１４、配線２５、配線１５、および配線３２が電気的に接続された回路を形成でき、端末接続部材２０においてスイッチ２７がオン状態にされることにより電源２６が光源３３に電圧を印加し、光源３３から出射された対照用光が、光出射部３１から端末接続部材３０の外部へ出射される。
【００４６】
一方、ケーブル１０の一端側のコネクタ１２および他端側のコネクタ１３に、端末接続部材２０および端末接続部材３０の少なくとも一方が取り付けられていない状態では、端末接続部材２０においてスイッチ２７がオン状態にされたとしても、光源３３は発光状態とならず、対照用光は、光出射部３１から端末接続部材３０の外部へ出射されない。
【００４７】
次に、再び図３（ａ）〜図３（ｃ）を参照して、第２の実施形態によるケーブル特定システム１００を用いたケーブル特定方法について、第１の実施形態で説明したのと同様に、ケーブルの撤去作業を例として説明する。
【００４８】
図３（ａ）を参照する。ケーブル束２００中における撤去対象のケーブル１０Ｂについて、一端側の端末と他端側の端末とを対応付けるケーブル特定作業が行われる。
【００４９】
図３（ｂ）を参照する。まず、ケーブル１０Ｂの一端側の端末に、つまり、ケーブル１０Ｂの一端側のコネクタに、端末接続部材２０を取り付ける。そして、スイッチ２７をオン状態とする。つまり、配線２５が、配線端１４ａと配線端１５ａとを電気的に接続し、電源２６が、配線端１４ａと配線端１５ａとの間に電圧を印加する状態とする。
【００５０】
他端側では、ケーブル１０Ｂの端末がケーブル束２００中のどこにあるか不明である。本例では、まず、ケーブル１０Ａの他端側のコネクタに端末接続部材３０が取り付けられる。ケーブル１０Ａについては、一端側のコネクタに端末接続部材２０が取り付けられていないので、つまり、他端側のコネクタに端末接続部材３０が取り付けられたとしても配線１４、配線２５、配線１５、および配線３２が電気的に接続された回路を形成できないので、光源３３が発光せず、光出射部３１からの対照用光の出射は確認されない。
【００５１】
図３（ｃ）を参照する。次に、ケーブル１０Ｂの他端側のコネクタに端末接続部材３０が取り付けられる。ケーブル１０Ｂについては、一端側のコネクタに端末接続部材２０が取り付けられており、他端側のコネクタに端末接続部材３０が取り付けられることで、配線１４、配線２５、配線１５、および配線３２が電気的に接続された回路が形成され、光源３３が発光して、光出射部３１からの対照用光の出射が確認される。
【００５２】
光出射部３１からの対照用光の出射が確認されることで、端末接続部材３０が取り付けられた他端側の端末が、ケーブル１０Ｂの他端側の端末であることが特定される。このようにして、ケーブル特定システム１００により、ケーブル１０Ｂを特定することができる。
【００５３】
以上説明したように、第２の実施形態のケーブル特定システム１００を用いることによっても、第１の実施形態によるケーブル特定システム１００を用いる場合と同様に、ケーブル１０を特定することができる。
【００５４】
端末接続部材２０および端末接続部材３０が、ケーブル１０と別体の部材として構成されていることで、光源３３や光出射部３１等をケーブル１０ごとに予め内蔵させておく必要がない。また、１組の端末接続部材２０、３０が用意されていれば、任意のケーブル１０の特定を行うことができる。
【００５５】
なお、光源３３としてＬＥＤを用いる場合、発光させるには順バイアスを印加する必要がある。極性の反転する電圧を発生する電源２６を用いると、いずれかの極性の電圧印加により光源３３を発光させられるので、端末接続部材２０を配線１４、１５に接続する際の極性を確認する手間が省ける。なお、極性を確認して接続することに留意しつつ、電源２６として、極性が一定の電圧を発生するもの（例えば電池）を用いてもよい。
【００５６】
なお、光源３３を有する端末接続部材３０に対し反対側の端末接続部材２０に電源２６を配置する例について説明したが、光源３３を発光させるための電源２６は、光源３３と同じ側の端末接続部材３０に配置してもよい。つまり、電源２６は、配線２５に挿入されるように、端末接続部材２０に配置されているか、または、配線３２に挿入されるように、端末接続部材３０に配置されていればよい。
【００５７】
なお、電源２６が、ＬＥＤを用いた光源３３と同じ側の端末接続部材３０に配置される場合は、ＬＥＤの極性に合わせた一定の極性の電圧を発生する電源２６を用いればよい。
【００５８】
なお、電源２６が配線端１４ａと配線端１５ａとの間に電圧を印加する状態と印加しない状態とを切り替えるスイッチ２７は省略されていても、ケーブル特定作業を行うことはできる。このような場合、端末接続部材２０がコネクタ１２に取り付けられている状態と取り付けられていない状態とを切り替えることで、電源２６が配線端１４ａと配線端１５ａとの間に、つまり、光源３３に電圧を印加する状態と印加しない状態とを切り替えることができる。ただし、スイッチ２７が設けられていることで、光源３３の発光タイミングを制御しやすく利便性が向上する。
【００５９】
なお、第１の実施形態では、一端側の端末接続部材２０において発光させた対照用光を、光ファイバ１１を通過させることで、他端側の端末接続部材３０の光出射部３１から出射させる例について説明した。これに対し、第２の実施形態では、他端側の端末接続部材３０において発光させた対照用光を、他端側の端末接続部材３０の光出射部３１から出射させる例となっている。このため、第２の実施形態では、ケーブル１０として、光ケーブル以外の電気ケーブル（例えばＬＡＮケーブル）等のケーブルを用いることもできる。なお、コネクタの構成は、各ケーブルの種類に合わせて適宜選択することができる。
【００６０】
なお、第２の実施形態において、ケーブル１０として光ケーブルを用いた場合には、他端側の端末接続部材３０において発光させた対照用光を、光ファイバ１１を通過させることで、一端側の端末接続部材２０へ入射させてもよい。このような場合、端末接続部材２０側でも対照用光の出射を確認できるよう、端末接続部材２０に、対照用光を端末接続部材２０の外部へ出射させる光出射部２４を設けてもよい。
【００６１】
なお、第２の実施形態において、ケーブル１０として光ケーブル以外のケーブルを用いる場合、ケーブル特定用（ケーブル対照用）の光ファイバを、ケーブル１０に別途設けるようにしてもよい。
【００６２】
また、第１の実施形態において、ケーブル特定用の光ファイバを、ケーブル１０に別途設けることで、ケーブル１０として光ケーブル以外のケーブルを用いることもできる。なお、ケーブル１０が光ケーブルである場合、ケーブル１０がもともと有している光ファイバ１１を、対照用光を通過させる用途としても有効に利用できる。
【００６３】
なお、第１および第２の実施形態では、まず、端末接続部材２０をケーブル１０Ｂの一端側の端末に取り付けた状態で、他端側の端末に、光出射部３１を有する端末接続部材３０を取り付け、光出射部３１から端末接続部材３０の外部へ対照用光を出射させ、対照用光を確認することでケーブル特定作業を行う例について説明したが、まず、光出射部３１を有する端末接続部材３０をケーブル１０Ｂの一端側の端末に取り付けた状態で、他端側の端末に、端末接続部材２０を取り付け、光出射部３１から端末接続部材３０の外部へ対照用光を出射させ、対照用光を確認することでケーブル特定作業を行うようにしてもよい。
【００６４】
なお、第１および第２の実施形態では、ケーブル１０を撤去する状況におけるケーブル１０の特定について例示したが、ケーブル特定システム１００は、例えばケーブル１０を敷設する状況等、他の状況でケーブル１０の特定を行う用途に用いてもよい。
【００６５】
以上、実施形態に沿って本発明を説明したが、本発明はこれらに制限されるものではない。例えば、種々の変更、改良、組み合せ等が可能なことは当業者に自明であろう。
【００６６】
以下、本発明の好ましい形態について付記する。
【００６７】
（付記１）
一端側に第１のコネクタが設けられ他端側に第２のコネクタが設けられたコネクタ付きケーブルと、
前記第１のコネクタに取り付け可能に構成された第１の端末接続部材と、
前記第２のコネクタに取り付け可能に構成され、光出射部を有する第２の端末接続部材と、
を有し、
前記コネクタ付きケーブル、前記第１の端末接続部材、および前記第２の端末接続部材は、
前記第１の端末接続部材が前記第１のコネクタに、前記第２の端末接続部材が前記第２のコネクタにそれぞれ取り付けられた状態で、前記光出射部から前記第２の端末接続部材の外部へ対照用光を出射させる
ように構成されているケーブル特定システム。
【００６８】
（付記２）
前記コネクタ付きケーブルは、光ファイバを有する光ケーブルであり、
前記第１の端末接続部材は、前記対照用光を出射する光源を有し、前記第１のコネクタに取り付けられた状態で、前記光源から出射された前記対照用光を、前記光ファイバに入射させるように構成されており、
前記第２の端末接続部材は、前記第２のコネクタに取り付けられた状態で、前記光ファイバを通過した前記対照用光が入射するように構成されており、
前記光源に電圧を供給する電源を有する、
付記１に記載のケーブル特定システム。
【００６９】
（付記３）
前記第１の端末接続部材は、前記光源の発光状態と非発光状態とを切り替えるスイッチを有する、
付記２に記載のケーブル特定システム。
【００７０】
（付記４）
前記第１の端末接続部材は、前記第１の端末接続部材の外部へ前記対照用光を出射させる光出射部を有する、
付記２または３に記載のケーブル特定システム。
【００７１】
（付記５）
前記コネクタ付きケーブルは、前記第１のコネクタに一端が配置され前記第２のコネクタに他端が配置された第１の配線、および、前記第１のコネクタに一端が配置され前記第２のコネクタに他端が配置された第２の配線を有し、
前記第１の端末接続部材は、前記第１のコネクタに取り付けられた状態で、前記第１の配線の前記一端と前記第２の配線の前記一端とを電気的に接続する第３の配線を有し、
前記第２の端末接続部材は、前記第２のコネクタに取り付けられた状態で、前記第１の配線の前記他端と前記第２の配線の前記他端とを電気的に接続する第４の配線、および、前記第４の配線に挿入され前記対照用光を出射する光源を有し、
前記光源に電圧を供給する電源を有する、
付記１に記載のケーブル特定システム。
【００７２】
（付記６）
前記電源は、前記第３の配線に挿入されるように、前記第１の端末接続部材に配置されているか、または、前記第４の配線に挿入されるように、前記第２の端末接続部材に配置されている、
付記５に記載のケーブル特定システム。
【００７３】
（付記７）
前記光源は、発光ダイオードであり、
前記電源は、前記第３の配線に挿入されるように、前記第１の端末接続部材に配置されており、極性の反転する電圧を発生するように構成されている、
付記６に記載のケーブル特定システム。
【００７４】
（付記８）
前記第１の端末接続部材は、前記電源が前記第１の配線の前記一端と前記第２の配線の前記一端との間に電圧を印加する状態と印加しない状態とを切り替えるスイッチを有する、付記７に記載のケーブル特定システム。
【００７５】
（付記９）
前記コネクタ付きケーブルは、光ファイバを有する光ケーブルであり、
前記第１の端末接続部材は、前記光源から出射され前記光ファイバを通過した前記対照用光を、前記第１の端末接続部材の外部へ出射させる光出射部を有する、
付記５〜８のいずれか１つに記載のケーブル特定システム。
【００７６】
（付記１０）
前記第２の端末接続部材の前記光出射部から出射される対照用光は、可視光である、
付記１〜９のいずれか１つに記載のケーブル特定システム。
【００７７】
（付記１１）
一端側に第１のコネクタが設けられ他端側に第２のコネクタが設けられたコネクタ付きケーブルと、
前記第１のコネクタに取り付け可能に構成された第１の端末接続部材と、
前記第２のコネクタに取り付け可能に構成され、光出射部を有する第２の端末接続部材と、
を有し、
前記コネクタ付きケーブル、前記第１の端末接続部材、および前記第２の端末接続部材は、
前記第１の端末接続部材が前記第１のコネクタに、前記第２の端末接続部材が前記第２のコネクタにそれぞれ取り付けられた状態で、前記光出射部から前記第２の端末接続部材の外部へ対照用光を出射させる
ように構成されているケーブル特定システムを用いたケーブル特定方法であって、
前記第１のコネクタに前記第１の端末接続部材を取り付ける工程と、
前記第２のコネクタに前記第２の端末接続部材を取り付ける工程と、
前記光出射部から前記第２の端末接続部材の外部へ前記対照用光を出射させる工程と、
を有するケーブル特定方法。
【符号の説明】
【００７８】
１０  コネクタ付きケーブル
１０Ａ  特定対象でない他のケーブル
１０Ｂ  特定対象のケーブル
１１  光ファイバ
１２、１３  コネクタ
１４、１５  コネクタ付きケーブルの有する配線
１４ａ、１４ｂ、１５ａ、１５ｂ  コネクタ付きケーブルの有する配線の端部
２０  端末接続部材
２１  光源
２２  電源
２３  スイッチ
２４  光出射部
２５  端末接続部材の有する配線
２６  電源
２７  スイッチ
３０  端末接続部材
３１  光出射部
３２  端末接続部材の有する配線
３３  光源
１００  ケーブル特定システム
２００  ケーブル束
【図１】
0006607032.tif 000002
【図２】
0006607032.tif 000003
【図３】
0006607032.tif 000004